(57)【要約】【課題】  ユニット建物の外壁面に大開口を形成すること。【解決手段】  柱１１と床梁１２と天井梁１３を接合した建物ユニット１０を用いてなるユニット建物１Ａにおいて、相隣る建物ユニット２０のそれぞれに定めた柱省略コーナー部３０（３０Ａ、３０Ｂ）をそれら建物ユニット２０の外壁面の柱省略接合部３０（３０Ａ、３０Ｂ）にて互いに突き合せ配置してなるもの。【選択図】  図４
2006249697.tif 000002
【特許請求の範囲】
【請求項１】
柱と床梁と天井梁を接合した建物ユニットを用いてなるユニット建物において、
相隣る建物ユニットのそれぞれに定めた柱省略コーナー部をそれら建物ユニットの外壁面の柱省略接合部にて互いに突き合せ配置してなることを特徴とするユニット建物。
【請求項２】
前記相隣る建物ユニットの柱省略接合部を含む同一外壁面内で該柱省略コーナー部に交差配置されている各建物ユニットの天井梁を継ぎ天井梁とし、
相隣る建物ユニットの柱省略接合部にて相対する継ぎ天井梁同士を接合してなる請求項１に記載のユニット建物。
【請求項３】
前記建物ユニットの柱省略接合部が配置される外壁面を妻側の外壁面とする請求項１又は２に記載のユニット建物。
【請求項４】
前記相隣る建物ユニットの柱省略接合部が配置される外壁面を玄関入り口とし、それら両建物ユニットの内部に玄関を形成する請求項１〜３のいずれかに記載のユニット建物。
【請求項５】
前記相隣る建物ユニットの柱省略接合部が配置される外壁面を店舗の開口とし、それら両建物ユニットの内部に店舗を形成する請求項１〜３のいずれかに記載のユニット建物。
【請求項６】
前記相隣る建物ユニットの柱省略接合部が配置される外壁面を車庫入り口とし、それら両建物ユニットの内部に車庫を形成する請求項１〜３のいずれかに記載のユニット建物。
【発明の詳細な説明】
【技術分野】
【０００１】
本発明はユニット建物に関する。
【背景技術】
【０００２】
従来、特許文献１に記載の如く、柱と床梁と天井梁を接合した建物ユニットを用いてなるユニット建物において、相隣る建物ユニットのそれぞれに定めた柱省略コーナー部を柱省略接合部にて互いに突き合せ配置し、柱を省略した柱なし空間を形成するものがある。
【特許文献１】特開2001-348958
【発明の開示】
【発明が解決しようとする課題】
【０００３】
特許文献１に記載される如くの従来のユニット建物では、柱省略接合部を建物の内側に設けるだけであった。このため、ユニット建物の外壁面（特に、建物ユニットの平面視で短辺側となる妻側の外壁面）には、相隣る建物ユニットの柱が密に配置され、大開口を確保できず、玄関入り口、車庫入り口、又は店舗の開口のレイアウトに制約があった。
【０００４】
本発明の課題は、ユニット建物の外壁面に大開口を形成することにある。
【課題を解決するための手段】
【０００５】
請求項１の発明は、柱と床梁と天井梁を接合した建物ユニットを用いてなるユニット建物において、相隣る建物ユニットのそれぞれに定めた柱省略コーナー部をそれら建物ユニットの外壁面の柱省略接合部にて互いに突き合せ配置してなるようにしたものである。
【０００６】
請求項２の発明は、請求項１の発明において更に、前記相隣る建物ユニットの柱省略接合部を含む同一外壁面内で該柱省略コーナー部に交差配置されている各建物ユニットの天井梁を継ぎ天井梁とし、相隣る建物ユニットの柱省略接合部にて相対する継ぎ天井梁同士を接合してなるようにしたものである。
【０００７】
請求項３の発明は、請求項１又は２の発明において更に、前記建物ユニットの柱省略接合部が配置される外壁面を妻側の外壁面とするようにしたものである。
【０００８】
請求項４の発明は、請求項１〜３のいずれかの発明において更に、前記相隣る建物ユニットの柱省略接合部が配置される外壁面を玄関入り口とし、それら両建物ユニットの内部に玄関を形成するようにしたものである。
【０００９】
請求項５の発明は、請求項１〜３のいずれかの発明において更に、前記相隣る建物ユニットの柱省略接合部が配置される外壁面を店舗の開口とし、それら両建物ユニットの内部に店舗を形成するようにしたものである。
【００１０】
請求項６の発明は、請求項１〜３のいずれかに記載のユニット建物において、前記相隣る建物ユニットの柱省略接合部が配置される外壁面を車庫入り口とし、それら両建物ユニットの内部に車庫を形成するようにしたものである。
【発明の効果】
【００１１】
（請求項１）
(a)ユニット建物において、相隣る建物ユニットの外壁面に柱省略接合部を設けた。従
って、ユニット建物の上記の外壁面に、柱に邪魔されない大開口を形成できる。
【００１２】
（請求項２）
(b)相隣る建物ユニットの柱省略接合部にて、各建物ユニットの相対する継ぎ天井梁同
士を接合した。従って、各建物ユニットとは別個の長尺梁を用いることなく、柱省略したユニット建物を補強でき、材料の管理性、施工性が良い。
【００１３】
（請求項３）
(c)建物ユニットの平面視で短辺側となる妻側の外壁面では、相隣る建物ユニットとの
間で柱を省略しない場合に、特に柱が密になり、開口が小さめになる。従って、相隣る建物ユニットの妻側の外壁面に前述(a)の柱省略接合部を設けることにより、その妻側の外
壁面で大開口を形成できる。
【００１４】
（請求項４）
(d)相隣る建物ユニットの柱省略接合部が配置される外壁面を玄関入り口とすることに
より、玄関入り口のレイアウトの自由度を向上できる。
【００１５】
(e)建物ユニットの東面に配置した妻側の外壁面に柱省略接合部を設けることにより、
東向き玄関入り口のレイアウトの自由度を向上し、かつ当該建物ユニットの長辺側となる桁側を南面に配置して広い南面居室を確保できる。
【００１６】
（請求項５）
(f)相隣る建物ユニットの柱省略接合部が配置される外壁面を店舗の開口とすることに
より、店舗の開口のレイアウトの自由度を向上できる。
【００１７】
(g)建物ユニットの一面に配置した妻側の外壁面に柱省略接合部を設けることにより、
妻面に大開口を形成し、かつ当該建物ユニットの長辺側となる桁面にも大開口を形成できる。従って、建物ユニットの妻面と桁面の両面に大開口を形成できるし、妻面と桁面の両面からエントリー可能にしてそれらの２面接道にも対応できる。
【００１８】
（請求項６）
(h)相隣る建物ユニットの柱省略接合部が配置される外壁面を車庫の入り口とすること
により、車庫の入り口のレイアウトの自由度を向上できる。
【００１９】
(i)建物ユニットの一面に配置した妻側の外壁面に柱省略接合部を設けることにより、
妻面における車庫入り口のレイアウトの自由度を向上できる。尚、このユニット建物では、建物ユニットの妻面を東面にし、車庫入り口を東向きとするとき、各建物ユニットの長辺側となる桁面を南面にするものになり、例えば２階建物ユニットの桁南面のダイニングにより自由な窓位置を設けたり、リビングの南面大開口と広々バルコニーを形成できる。
【発明を実施するための最良の形態】
【００２０】
図１はユニット建物を示す模式図、図２はユニット建物の柱省略接合部を示す模式図、図３は柱省略接合部の補強構造を示す模式図、図４は実施例１のユニット建物を示す間取図、図５は図４のブロックパターン図、図６は実施例２のユニット建物を示す間取図、図７は図６のブロックパターン図、図８は実施例３のユニット建物を示す間取図、図９は図８のブロックパターン図、図１０は実施例４のユニット建物を示す間取図、図１１は図１０のブロックパターン図、図１２は実施例５のユニット建物を示す間取図、図１３は図１２のブロックパターン図である。
【実施例】
【００２１】
本発明はユニット建物１において、外壁面に大開口を形成するプランニングに関するも
のであるが、最初に、本発明の後述する実施例において用いられる、(A)建物ユニット１
０の構成、(B)ユニット建物１の柱省略接合部の補強構造について説明する。
【００２２】
(A)建物ユニット１０の構成（図１）
ユニット建物１は、複数の建物ユニット１０を水平方向と鉛直方向に隣接設置して構築され、１階建や２階建、更には３階建等の中高層建物をも構築できる。
【００２３】
建物ユニット１０は、図１に示す如く、角鋼管製柱１１と、形鋼製床梁１２と、形鋼製天井梁１３を箱形に接合した骨組構造体である。建物ユニット１０は、柱１１の下端部にジョイントピース１１Ｊを介して床梁１２を溶接し、柱１１の上端部にジョイントピース１３Ｊを介して天井梁１３を溶接して構成される。建物ユニット１０は、床梁１２を省略できる。
【００２４】
建物ユニット１０は、少なくとも１個のコーナー部を柱１１が省略された柱省略コーナー部としてなる柱省略建物ユニット２０に変形できる。柱省略建物ユニット２０は、工場生産段階、建築現場への輸送段階で、柱省略コーナー部に仮柱１４（図３）を着脱できる。
【００２５】
(B)ユニット建物１の柱省略接合部の補強構造（図２、図３）
ユニット建物１は、その建物内の一部において柱省略建物ユニット２０を用い、図２に示す如く、複数個の柱省略建物ユニット２０を隣接設置し、各柱省略建物ユニット２０の柱省略コーナー部を互いに突き合せて柱省略接合部３０を形成できる。
【００２６】
相隣る柱省略建物ユニット２０の柱省略接合部３０を含む同一面内で、それらの柱省略コーナー部に交差配置されている各柱省略建物ユニット２０の天井梁１３を継ぎ天井梁１３Ａとし、相隣る柱省略建物ユニット２０の柱省略接合部３０にて相対する継ぎ天井梁１３Ａ同士を接合する。
【００２７】
このとき、相隣る継ぎ天井梁１３Ａは、図３に示す如く、柱省略コーナー部まで（柱１１の横断面分）延長され、両継ぎ天井梁１３Ａに渡ってそれらの上フランジとウエブとリップの外側に被嵌するＵ字状上外側添板３１と、両継ぎ天井梁１３Ａに渡ってそれらの両フランジの内側に添設される上内側添板３２とともに、高力ボルト３３等でボルト締結され、かつ両継ぎ天井梁１３Ａに渡ってそれらの下フランジとウエブとリップの外側に被嵌するＵ字状下外側添板３４と、両継ぎ天井梁１３Ａに渡ってそれらの下フランジの内側に添設される下内側添板３５とともに、高力ボルト３６等でボルト締結される。
【００２８】
尚、１階柱省略建物ユニット２０の継ぎ天井梁１３Ａは、図３（Ｂ）に示す如く、上フランジと上外側添板３１に貫通設置されるガイドピン３７に２階柱省略建物ユニット２０（柱省略されない建物ユニット１０でも可）の短柱１１Ａ（柱１１でも可）の端板ガイド孔を嵌通することにて、２階柱省略建物ユニット２０の床梁１２を載せ置きされる。そして、２階柱省略建物ユニット２０の床梁１２は、下フランジと、その内側に添設される座金プレート３７を、前述の高力ボルト３３等で１階柱省略建物ユニット２０の継ぎ天井梁１３Ａに共締めされる。
【００２９】
（実施例１）（図４、図５）
図４、図５のユニット建物１Ａは、６個の建物ユニット１０からなり、それらの妻面（建物ユニット１０の平面視で短辺側となる面）を東西向きに配置し、それらの桁面（建物ユニット１０の平面視で長辺側となる面）を南北向きに配置する。
【００３０】
ユニット建物１Ａは、６個の建物ユニット１０のうち、４個の建物ユニット１０を柱省
略建物ユニット２０とし、東面配置の２個の柱省略建物２０の外壁面側会合部に柱省略接合部３０Ａを形成し、４個の柱省略建物ユニット２０の建物内側開口部に柱省略接合部３０Ｂを形成することにより、２個の柱省略接合部（３０Ａ、３０Ｂ）を有し、それら柱省略接合部３０Ａ、３０Ｂを単一の柱なし空間１００に臨ませている。尚、柱省略接合部３０（３０Ａ、３０Ｂ）は前述図２、図３の如くに補強される。
【００３１】
ユニット建物１Ａは、上述の如く、１個の柱省略接合部３０Ａを相隣る柱省略建物ユニット２０の外壁面に配置し、特にそれらの妻側の外壁面に配置する。
【００３２】
ユニット建物１Ａは、図４、図５に示す如く、東面配置の２個の相隣る柱省略建物ユニット２０の柱省略接合部３０Ａが配置される外壁面を玄関入り口１０１Ａとし、それら両柱省略建物ユニット２０の内部に玄関１０１を形成する。
【００３３】
また、ユニット建物１Ａは、図４、図５に示す如く、４個の相隣る柱省略建物ユニット２０の柱省略接合部３０Ｂが臨む柱なし空間１００を玄関１０１〜サニタリー１０２の続き間とする。
【００３４】
尚、ユニット建物１Ａは、建物ユニット１０（２０）の桁面を南面配置したから、南向きの明るい和室１０３、リビング１０４、ダイニング１０５を形成できる。また、玄関１０１が柱省略接合部３０Ａを介して北面の柱省略建物ユニット２０の側にまでずらされ、結果として玄関１０１の南側に配置される和室１０３を広くとることを可能にした。
【００３５】
本実施例によれば以下の作用効果を奏する。
(a)ユニット建物１Ａにおいて、複数の柱省略接合部３０Ａ、３０Ｂを有し、それら柱
省略接合部３０Ａ、３０Ｂを単一の柱なし空間１００に臨ませた。従って、ユニット建物１Ａに、柱１１に邪魔されない、単一の広々した柱なし空間１００を形成できる。
【００３６】
(b)相隣る柱省略建物ユニット２０の柱省略接合部３０Ａ、３０Ｂにて、各柱省略建物
ユニット２０の相対する継ぎ天井梁１３Ａ同士を接合した。従って、各柱省略建物ユニット２０とは別個の長尺梁を用いることなく、柱省略したユニット建物１Ａを補強でき、材料の管理性、施工性が良い。
【００３７】
(c)ユニット建物１Ａにおいて、相隣る柱省略建物ユニット２０の外壁面に柱省略接合
部３０Ａを設けた。従って、ユニット建物１Ａの上記の外壁面に、柱１１に邪魔されない大開口（玄関入り口１０１Ａ）を形成できる。
【００３８】
(d)建物ユニット１０の平面視で短辺側となる妻側の外壁面では、相隣る建物ユニット
１０との間で柱１１を省略しない場合に、特に柱１１が密になり、開口が小さめになる。従って、相隣る柱省略建物ユニット２０の妻側の外壁面に前述(c)の柱省略接合部３０Ａ
を設けることにより、その妻側の外壁面で大開口（玄関入り口１０１Ａ）を形成できる。
【００３９】
(e)前述(a)の柱なし空間１００を玄関１０１、サニタリー１０２、ダイニング等の続き間とすることにより、建物内に各部屋のより自由なレイアウトと十分な通路巾を確保できる。
【００４０】
(f)相隣る柱省略建物ユニット２０の柱省略接合部３０Ａが配置される外壁面を玄関入
り口１０１Ａとすることにより、玄関入り口１０１Ａのレイアウトの自由度を向上できる。
【００４１】
(g)柱省略建物ユニット２０の東面に配置した妻側の外壁面に柱省略接合部３０Ａを設
けることにより、東向き玄関入り口１０１Ａのレイアウトの自由度を向上し、かつ当該柱省略建物ユニット２０の長辺側となる桁側を南面に配置して広い南面居室（和室１０３）を確保できる。
【００４２】
（実施例２）（図６、図７）
図６、図７のユニット建物１Ｂは、東面と南面の２面が接道するとともに、８個の建物ユニット１０からなり、それらの妻面を東西向きに配置し、それらの北面を南北向きに配置する。
【００４３】
ユニット建物１Ｂは、８個の建物ユニット１０のうち、４個の建物ユニット１０を柱省略建物ユニット２０とし、東面配置の２個の柱省略建物ユニット２０の外壁面側会合部に柱省略接合部３０Ａを形成し、４個の柱省略建物ユニット２０の建物内側会合部に柱省略接合部３０Ｂを形成することにより、２個の柱省略接合部３０（３０Ａ、３０Ｂ）を有し、それら柱省略接合部３０Ａ、３０Ｂを単一の柱なし空間１００に臨ませている。尚、柱省略接合部３０（３０Ａ、３０Ｂ）は前述図２、図３の如くに補強される。
【００４４】
ユニット建物１Ｂは、上述の如く、１個の柱省略接合部３０Ａを相隣る柱省略建物ユニット２０の外壁面に配置し、特にそれらの妻側の外壁面に配置する。
【００４５】
ユニット建物１Ｂは、図６、図７に示す如く、東面配置の２個の相隣る柱省略建物ユニット２０の柱省略接合部３０Ａが配置される外壁面に店舗１１１の東面大開口１１１Ａを形成し、それら両柱省略建物ユニット２０の内部を店舗１１１とする。
【００４６】
また、ユニット建物１Ｂは、図６、図７に示す如く、４個の相隣る柱省略建物ユニット２０の柱省略接合部３０Ｂが臨む柱なし空間１００を店舗１１１とする。この柱なし空間１００には、２列をなす陳列棚１１２、１１３を配置できる。
【００４７】
尚、ユニット建物１Ｂは、建物ユニット１０（２０）の桁面を南面配置したから、南面配置の２個の相隣る柱省略建物ユニット２０の外壁面に店舗１１１の南面大開口１１１Ｂ、開口１１１Ｃを形成し、明るい店舗１１１を形成できる。
【００４８】
ユニット建物１Ｂは、東面の大開口１１１Ａ、南面の大開口１１１Ｂ、開口１１１Ｃの２面開口により、妻桁面２方向から店舗１１１にエントリーでき、２面接道に対応できる。
【００４９】
本実施例によれば、実施例１の(a)〜(d)の作用効果に加え、以下の作用効果を奏する。
(a)ユニット建物１Ｂの広々とした柱なし空間１００によって、建物内により広い店舗
１１１を形成できる。柱１１がとれるので、陳列棚１１２、１１３を２列等の複列配置できる。
【００５０】
(b)相隣る柱省略建物ユニット２０の柱省略接合部３０Ａが配置される外壁面を店舗１
１１の大開口１１１Ａとすることにより、店舗１１１の大開口１１１Ａのレイアウトの自由度を向上できる。
【００５１】
(c)柱省略建物ユニット２０の一面に配置した妻側の外壁面に柱省略接合部３０Ａを設
けることにより、妻面に大開口１１１Ａを形成し、かつ当該柱省略建物ユニット２０の長辺側となる桁面にも大開口１１１Ｂを形成できる。従って、柱省略建物ユニット２０の妻面と桁面の両面に大開口１１１Ａ、１１１Ｂを形成できるし、妻面と桁面の両面からエントリー可能にしてそれらの２面接道にも対応できる。
【００５２】
（実施例３）（図８、図９）
図８、図９のユニット建物１Ｃは、５個の建物ユニット１０からなり、それらの妻面を東西向きに配置し、それらの桁面を南北向きに配置する。
【００５３】
ユニット建物１Ｃは、５個の建物ユニット１０のうち、２個の建物ユニット１０を柱省略建物ユニット２０とし、東南角寄りのそれらの２個の柱省略建物ユニット２０の外壁面側会合部に柱省略接合部３０Ａを形成する。尚、柱省略接合部３０は前述図２、図３の如くに補強される。
【００５４】
ユニット建物１Ｃは、上述の如く、柱省略接合部３０を相隣る柱省略建物ユニット２０の外壁面に配置し、特にそれらの妻側の外壁面に配置する。
【００５５】
ユニット建物１Ｃは、東面配置の２個の相隣る柱省略建物ユニット２０の柱省略接合部３０が配置される外壁面に店舗１２１の東面大開口１２１Ａを形成し、それら両柱省略建物ユニット２０の内部を店舗１２１とする。
【００５６】
尚、ユニット建物１Ｃは、建物ユニット１０（２０）の桁面を南面配置したから、南面配置の柱省略建物ユニット２０の外壁面も店舗１２１の南面大開口１２１Ｂを形成し、明るい店舗１２１を形成できる。ユニット建物１Ｃの東面外側にはオープンテラス１２２が設けられる。
【００５７】
ユニット建物１Ｃは、東面の大開口１２１Ａ、南面の大開口１２１Ｂの２面開口により、妻桁面２方向からエントリーでき、２面接道に対応できる。
【００５８】
本実施例によれば以下の作用効果を奏する。
(a)ユニット建物１Ｃにおいて、相隣る柱省略建物ユニット２０の外壁面に柱省略接合
部３０を設けた。従って、ユニット建物１Ｃの上記の外壁面に、柱１１に邪魔されない大開口１２１Ａを形成できる。
【００５９】
(b)相隣る柱省略建物ユニット２０の柱省略接合部３０にて、各柱省略建物ユニット２
０の相対する継ぎ天井梁１３Ａ同士を接合した。従って、各柱省略建物ユニット２０とは別個の長尺梁を用いることなく、柱省略したユニット建物１Ｃを補強でき、材料の管理性、施工性が良い。
【００６０】
(c)建物ユニット１０の平面視で短辺側となる妻側の外壁面では、相隣る建物ユニット
１０との間で柱１１を省略しない場合に、特に柱１１が密になり、開口が小さめになる。従って、相隣る柱省略建物ユニット２０の妻側の外壁面に前述(a)の柱省略接合部３０を
設けることにより、その妻側の外壁面で大開口１２１Ａを形成できる。
【００６１】
(d)相隣る柱省略建物ユニット２０の柱省略接合部３０が配置される外壁面を店舗の開
口とすることにより、店舗の開口のレイアウトの自由度を向上できる。
【００６２】
(e)柱省略建物ユニット２０の一面に配置した妻側の外壁面に柱省略接合部３０を設け
ることにより、妻面に大開口１２１Ａを形成し、かつ当該柱省略建物ユニット２０の長辺側となる桁面にも大開口１２１Ａを形成できる。従って、柱省略建物ユニット２０の妻面と桁面の両面に大開口１２１Ａを形成できるし、妻面と桁面の両面からエントリー可能にしてそれらの２面接道にも対応できる。
【００６３】
（実施例４）（図１０、図１１）
図１０、図１１のユニット建物１Ｄは、２階建をなす。１階では、５個の建物ユニット
１０からなり、それらの妻面を南北向きに配置し、それらの桁面を東西向きに配置する。２階も、５個の建物ユニット１０からなり、それらの妻面を南北向きに配置し、それらの桁面を東西向きに配置する。
【００６４】
１階では、５個の建物ユニット１０のうち、２個の建物ユニット１０を柱省略建物ユニット２０とし、南西角寄りの２個の柱省略建物ユニット２０の外壁面側会合部に柱省略接合部３０を形成する。尚、柱省略接合部３０は前述図２、図３の如くに補強される。即ち、柱省略接合部３０を相隣る柱省略建物ユニット２０の外壁面に配置する。柱省略接合部３０を形成した２個の柱省略建物ユニット２０により主寝室１３１、納戸１３２を形成し、主寝室１３１に南面大開口１３１Ａを形成する。また、桁面東向きの２個の建物ユニット１０により車庫１３３を形成する。
【００６５】
２階では、５個の建物ユニット１０のうち、２個の建物ユニット１０を柱省略建物ユニット２０とし、西側から２個目と３個目の２個の柱省略建物ユニット２０の外壁面側会合部に柱省略接合部３０を形成する。即ち、柱省略接合部３０を相隣る柱省略建物ユニット２０の外壁面に配置する。柱省略接合部３０を配置した２個の柱省略建物ユニット２０によりダイニング１３４を形成し、ダイニング１３４に南面大開口１３４Ａを形成する。また、東面側の２個の建物ユニット１０によりリビング１３５が形成される。
【００６６】
本実施例によれば以下の作用効果を奏する。
(a)ユニット建物１Ｄにおいて、相隣る柱省略建物ユニット２０の外壁面に柱省略接合
部３０を設けた。従って、ユニット建物１Ｄの上記の外壁面に、柱１１に邪魔されない大開口１３１Ａ、１３４Ａを形成できる。
【００６７】
(b)相隣る柱省略建物ユニット２０の柱省略接合部３０にて、各柱省略建物ユニット２
０の相対する継ぎ天井梁１３Ａ同士を接合した。従って、各柱省略建物ユニット２０とは別個の長尺梁を用いることなく、柱省略したユニット建物１Ｄを補強でき、材料の管理性、施工性が良い。
【００６８】
(c)ユニット建物１Ｄは、南外壁面に柱省略接合部３０を設けて南向きの１階大開口１
３１Ａ、２階大開口１３４Ａを形成するとともに、東面に車庫１３３を形成したから、車庫１３３をとりながら、南面大開口１３１Ａ、１３４Ａも確保できる。
【００６９】
（実施例５）（図１２、図１３）
図１２、図１３のユニット建物１Ｅは、２階建をなす。１階では、５個の建物ユニット１０からなり、それらの妻面を東西向きに配置し、それらの桁面を南北向きに配置する。２階も、５個の建物ユニット１０からなり、それらの妻面を東西向きに配置し、それらの桁面を南北向きに配置する。
【００７０】
１階では、５個の建物ユニット１０のうち、２個の建物ユニット１０を柱省略建物ユニット２０とし、東面向きの２個の柱省略建物ユニット２０の外壁面側会合部に柱省略接合部３０を形成する。尚、柱省略接合部３０は前述図２、図３の如くに補強される。即ち、柱省略接合部３０を相隣る柱省略建物ユニット２０の外壁面に配置し、特にそれら妻側の外壁面に配置する。柱省略接合部３０を形成した２個の柱省略建物ユニット２０により車庫１４１を形成し、それら柱省略建物ユニット２０の外壁面を車庫入り口１４１Ａとする。１階には、主寝室１４２、納戸１４３が形成される。
【００７１】
２階では、南西角寄りの２個の建物ユニット１０によりダイニング１４４を形成し、その南桁面に南面大開口１４４Ａを形成する。また、東面側のリビング１４５の南桁面に南面大開口１４５Ａを形成し、その南前面に広々としたバルコニー１４６を形成する。
【００７２】
本実施例によれば以下の作用効果を奏する。
(a)ユニット建物１Ｅにおいて、相隣る柱省略建物ユニット２０の外壁面に柱省略接合
部３０を設けた。従って、ユニット建物１Ｅの上記の外壁面に、柱１１に邪魔されない大開口（車庫入り口１４１Ａ）を形成できる。
【００７３】
(b)相隣る柱省略建物ユニット２０の柱省略接合部３０にて、各柱省略建物ユニット２
０の相対する継ぎ天井梁１３Ａ同士を接合した。従って、各柱省略建物ユニット２０とは別個の長尺梁を用いることなく、柱省略したユニット建物１Ｅを補強でき、材料の管理性、施工性が良い。
【００７４】
(c)建物ユニット１０の平面視で短辺側となる妻側の外壁面では、相隣る建物ユニット
１０との間で柱１１を省略しない場合に、特に柱１１が密になり、開口が小さめになる。従って、相隣る柱省略建物ユニット２０の妻側の外壁面に前述(a)の柱省略接合部３０を
設けることにより、その妻側の外壁面で大開口（車庫入り口１４１Ａ）を形成できる。
【００７５】
(d)相隣る柱省略建物ユニット２０の柱省略接合部３０が配置される外壁面を車庫１４
１の入り口１４１Ａとすることにより、車庫１４１の入り口１４１Ａのレイアウトの自由度を向上できる。
【００７６】
(e)柱省略建物ユニット２０の一面に配置した妻側の外壁面に柱省略接合部３０を設け
ることにより、妻面における車庫入り口１４１Ａのレイアウトの自由度を向上できる。尚、このユニット建物１Ｅでは、柱省略建物ユニット２０の妻面を東面にし、車庫入り口１４１Ａを東向きとするとき、各柱省略建物ユニット２０の長辺側となる桁面を南面にするものになり、例えば２階物ユニット１０の桁南面のダイニング１４４により自由な窓位置を設けたり、リビング１４５の南面大開口１４５Ａと広々バルコニー１４６を形成できる。
【００７７】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００７８】
【図１】図１はユニット建物を示す模式図である。
【図２】図２はユニット建物の柱省略接合部を示す模式図である。
【図３】図３は柱省略接合部の補強構造を示す模式図である。
【図４】図４は実施例１のユニット建物を示す間取図である。
【図５】図５は図４のブロックパターン図である。
【図６】図６は実施例２のユニット建物を示す間取図である。
【図７】図７は図６のブロックパターン図である。
【図８】図８は実施例３のユニット建物を示す間取図である。
【図９】図９は図８のブロックパターン図である。
【図１０】図１０は実施例４のユニット建物を示す間取図である。
【図１１】図１１は図１０のブロックパターン図である。
【図１２】図１２は実施例５のユニット建物を示す間取図である。
【図１３】図１３は図１２のブロックパターン図である。
【符号の説明】
【００７９】
１、１Ａ〜１Ｅ  ユニット建物
１０  建物ユニット
１１  柱
１２  床梁
１３  天井梁
１３Ａ  継ぎ天井梁
２０  柱省略建物ユニット
３０、３０Ａ、３０Ｂ  柱省略接合部
１００  柱なし空間
１０１  玄関
１０１Ａ  玄関入り口
１１１  店舗
１１１Ａ、１１１Ｂ  大開口
１２１  店舗
１２１Ａ  大開口
１３１Ａ、１３４Ａ  大開口
１４１  車庫
１４１Ａ  車庫入り口
【図１】
2006249697.tif 000003
【図２】
2006249697.tif 000004
【図３】
2006249697.tif 000005
【図４】
2006249697.tif 000006
【図５】
2006249697.tif 000007
【図６】
2006249697.tif 000008
【図７】
2006249697.tif 000009
【図８】
2006249697.tif 000010
【図９】
2006249697.tif 000011
【図１０】
2006249697.tif 000012
【図１１】
2006249697.tif 000013
【図１２】
2006249697.tif 000014
【図１３】
2006249697.tif 000015